(57)【要約】  【課題】  光ディスク装置の光ピックアップ送り機構部の潤滑剤飛散を防止する技術の提供。  【解決手段】  光ピックアップ送り機構部として、リードスクリュー部材の長手方向に沿い該リードスクリュー部材の表面から所定距離隔てて突出部が形成されたスクレープ部材を備え、該リードスクリュー部材の表面に所定高さ以上に付着した潤滑剤を、該リードスクリュー部材の回転時に該スクレープ部材の該突出部によりすくい取る構成とする。【選択図】  図２
2006209826.tif 000002
【特許請求の範囲】
【請求項１】
光ディスクの半径方向に光ピックアップを移動させ情報の記録、再生のいずれか一方または両方を行う光ディスク装置であって、
上記光ピックアップの基台部に係合し該光ピックアップの上記ディスク半径方向への移動を案内するガイド部材と、
上記ガイド部材に平行に配され、表面に送りねじが設けられ、回転により上記光ピックアップ側に移動力を与えるリードスクリュー部材と、
上記リードスクリュー部材の上記送りねじに係合し上記移動力を光ピックアップ側に伝え該光ピックアップとともに移動するラック部材と、
上記リードスクリュー部材の長手方向に沿い該リードスクリュー部材の上記表面から所定距離を隔てて突出部が形成され、該突出部により、該リードスクリュー部材の表面に付着した潤滑剤をすくい取るスクレープ部材と、
上記リードスクリュー部材を回転させる送りモータと、
を備えた構成を特徴とする光ディスク装置。
【請求項２】
上記スクレープ部材は、Ｌ字状またはＴ字状の断面部を有し、該Ｌ字またはＴ字の１つの辺側に上記突出部が形成された構成である請求項１に記載の光ディスク装置。
【請求項３】
上記スクレープ部材は、上記突出部が、上記リードスクリュー部材の長手方向に対し、該リードスクリュー部材の両端側部分に対応した位置を含む複数箇所に形成された構成である請求項１または請求項２に記載の光ディスク装置。
【請求項４】
上記スクレープ部材は、上記リードスクリュー部材または上記送りモータを支持する部材と一体化された構成である請求項１、２または３に記載の光ディスク装置。
【発明の詳細な説明】
【技術分野】
【０００１】
本発明は、光ディスク装置に係り、特に、光ピックアップの送り機構部に用いた潤滑剤による光ディスク面や装置内の汚染を防止する技術に関する。
【背景技術】
【０００２】
本発明に関連した従来技術としては、例えば、特開２００２−３３４４５０号公報（特許文献１）、実公平６−４４５４号公報（特許文献２）及び特開平１１−１７６１１５号公報（特許文献３）に記載されたものがある。特開２００２−３３４４５０号公報には、光ディスク装置においてグリースの飛散を防止するために、ピックアップ送り用軸（リードスクリュー部材）に平行に、グリースガード部材を設けるとした構成が記載され、実公平６−４４５４号公報には、ディスク装置の磁気ヘッドのキャリッジ送り機構として、リードスクリューの外周にコイルバネを遊合させ、キャリッジのリードスクリューへの係合子を該コイルバネのほぼ中央に配し、該キャリッジの直線移動により該コイルバネを直線移動あるいは回転移動させることで、該リードスクリュー上の潤滑剤の偏りを防止し、正常な潤滑効果を得るとした構成が記載され、また、特開平１１−１７６１１５号公報には、情報記憶装置において、駆動系のグリス（グリース）飛散の防止、ガイドシャフトへのゴミの付着防止、トラバースモータの放熱と振動の減衰を行うために、トラバースモータ（送りモータ）、リードスクリューを支持するアングルに、ガイドシャフトをカバーするカバー部を設け、該アングルをシャーシ側に固定するとした構成が記載されている。
【０００３】
【特許文献１】特開２００２−３３４４５０号公報
【特許文献２】実公平６−４４５４号公報
【特許文献３】特開平１１−１７６１１５号公報
【発明の開示】
【発明が解決しようとする課題】
【０００４】
上記従来のうち、特開２００２−３３４４５０号公報記載の技術では、グリースガード部材が付加的に必要となるため、装置容積が増大し易く、コスト的にも不利である。また、ピックアップ送り用軸（リードスクリュー部材）から既に飛散したグリースを飛散経路の途中で食い止める構成のため、該グリースガード部材からのグリース漏れも懸念される。実公平６−４４５４号公報記載の技術では、コイルバネが必要となるため、コスト的にも不利である上、リードスクリュー表面がコイルバネによって傷み易いし、コイルバネに起因した騒音も発生し易い。潤滑剤が多い場合には、潤滑剤はコイルバネをすり抜けて滴下したり飛散したりしてディスク面や装置内を汚染するおそれがある。また、特開平１１−１７６１１５号公報記載の技術では、カバー部の寸法が大型化し易いため、光ピックアップ送り機構部の寸法が増大し易い。装置全体の寸法も増大し易くなる。
【０００５】
本発明の課題点は、上記従来技術の状況に鑑み、光ディスク装置において、寸法増大やコスト増大を抑えた状態で、光ピックアップ送り機構部におけるリードスクリュー部材の潤滑剤の滴下や飛散による光ディスク面や装置内の汚染を防止できるようにすることである。
本発明の目的は、かかる課題点を解決し、光ディスク装置において、コンパクトな構成下で、光ディスクや装置内の汚染を防止可能な技術を提供することにある。
【課題を解決するための手段】
【０００６】
上記課題点を解決するために、本発明では、光ディスク装置において、光ピックアップ送り機構部として、リードスクリュー部材の長手方向に沿い該リードスクリュー部材の表面から所定距離を隔てて突出部が形成されたスクレープ部材を、例えば、該リードスクリュー部材や送りモータを支持する部材と一体化可能な状態で備え、該リードスクリュー部材の表面に付着した潤滑剤を、該リードスクリュー部材の回転時に該スクレープ部材の該突出部によりすくい取る構成とする。
【発明の効果】
【０００７】
本発明によれば、光ディスク装置において、コンパクトな構成下で、光ピックアップ送り機構部のードスクリュー部材表面の潤滑剤の滴下や飛散を防ぎ、光ディスクの記録面や装置内の汚染を防止することができ、装置の信頼性を向上させることができる。
【発明を実施するための最良の形態】
【０００８】
以下、本発明を実施するための最良の形態につき、図面を用いて説明する。
図１〜図３は、本発明の第１の実施例の説明図である。図１は、本発明の第１の実施例としての光ディスク装置の構成例図、図２は、図１の光ディスク装置における光ピックアップ送り機構部の構成図、図３は、図１及び図２の構成において、リードスクリュー部材の表面に所定以上の高さで付着した潤滑剤をすくい取るスクレープ部材の作用を示す図である。なお、図１、図２はそれぞれ、光ディスク装置、光ピックアップ送り機構部の裏面側の構成を示す。本第１の実施例は、上記スクレープ部材において、上記潤滑剤をすくい取る部分（突出部）を上記リードスクリュー部材のほぼ全長に対応して設けた場合である。
【０００９】
図１において、１は光ディスク装置、２は光ディスク、３は、光ディスク２を回転駆動するスピンドルモータ、４は、光ディスク２の情報記録面にレーザ光を照射したり、反射光を受光したりして、該情報記録面に対し信号の記録や再生を行う光ピックアップ、５は、光ピックアップ４のディスク半径方向の移動を案内する直線棒状の主ガイド部材、６は、同じく光ピックアップ４のディスク半径方向の移動を案内する直線棒状の副ガイド部材、７は、主ガイド部材５及び副ガイド部材６に平行に配され、表面に送りねじが設けられ、回転により上記光ピックアップ４側に移動力を伝えるリードスクリュー部材、８は、リードスクリュー部材５を回転駆動する送りモータ、９は、上記光ピックアップ４に結合され、上記リードスクリュー部材７の上記送りねじに係合し上記リードスクリュー部材７からの移動力を上記光ピックアップ４側に伝え、該光ピックアップ４とともに移動するラック部材、１０は、リードスクリュー部材７の表面に所定距離以上の高さで付着した潤滑剤をすくい取るスクレープ部材、１０ａは、リードスクリュー部材７の一方の端部側及び送りモータ８を支持する支持部材、１０ｂは、リードスクリュー部材７の他方の端部側を支持する支持部材、１０ｃは、上記リードスクリュー部材７の長手方向に沿いかつ該リードスクリュー部材７の表面から所定距離を隔てて形成された突出部、１１は、スピンドルモータ３が取付けられる基台であるスピンドルモータベース、１２は、装置基台としてのシャーシ、１３、１４、１５はそれぞれ、スピンドルモータ３、光ピックアップ４、送りモータ８への電力供給や信号授受などを行うフレキシブル配線基板である。スクレープ部材１０は、上記支持部材１０ａ、１０ｂと一体状とされ、断面をＬ字状とされ、該Ｌ字の一方の辺側に上記突出部１０ｃが形成されている。本構成においては、主ガイド部材５、副ガイド部材６、リードスクリュー部材７、送りモータ８、ラック部材９、スクレープ部材１０及び支持部材１０ａ、１０ｂが、光ピックアップ送り機構部を構成する。
また、図２において、２０ａ、２０ｂは、スクレープ部材１０をシャーシ１２側に固定するビスである。他の符号は、上記図１の場合と同様である。
【００１０】
上記図１、図２において、記録または再生時、送りモータ８がリードスクリュー部材７を回転駆動すると、該リードスクリュー部材７はその表面の送りねじの回転により、該送りねじの溝部に係合したラック部材９を該リードスクリュー部材７の長手方向に移動させる。該ラック部材９が移動することで、上記光ピックアップ４がディスク半径方向に移動する。このとき、リードスクリュー部材７の表面のグリース等の潤滑剤は、その上層部が、上記スクレープ部材１０の突出部１０ｃによってすくい取られる。該すくい取られる結果、リードスクリュー部材７の表面には、ラック部材９の滑らかな潤滑に必要な量であってかつ滴下や飛散を起さない量の潤滑剤が残る。
以下、説明中で用いる上記図１、図２の構成要素には、該図１、図２の場合と同じ符号を付して用いる。
【００１１】
図３は、上記スクレープ部材１０の作用の説明図で、図２のＡ−Ａ断面を示す。
図３において、９ａは、リードスクリュー部材７の表面の送りねじの溝部へ係合するラック部材９の先端部、１０ｄは、Ｌ字状のスクレープ部材１０の突出部１０ｃに連続した内側平面部、３０は、ラック部材９の先端部９ａとリードスクリュー部材７の表面の送りねじの溝部との係合を滑らかにして該ラック部材９の移動を滑らかにするためのグリース等の潤滑剤、矢印Ｅは、リードスクリュー部材７の回転方向、Ｇは、リードスクリュー部材７とスクレープ部材１０の突出部１０ｃとの間の距離を示す。図３の構成において、リードスクリュー部材７が矢印Ｅの方向に回転すると、ラック部材９は該リードスクリュー部材７の長手方向に沿った所定の方向に移動して光ピックアップ４を所定のディスク半径方向に移動させる。このとき、リードスクリュー部材７の表面の潤滑剤３０も該リードスクリュー部材７とともに回転し、リードスクリュー部材７とスクレープ部材１０の突出部１０ｃとの間の距離Ｇの部分を通過しようとする。しかしながら、該潤滑剤３０の該リードスクリュー部材７表面への付着厚さが上記距離Ｇよりも厚い場合には、該潤滑剤３０の上層側の一部のものが、スクレープ部材１０の突出部１０ｃにより、リードスクリュー部材７との間を通過することを阻止されてすくい取られる。すなわち、潤滑剤３０のイの部分の付着厚さが少なくとも距離Ｇよりも厚いときには、その上層側の一部のものが、リードスクリュー部材７とスクレープ部材１０の突出部１０ｃとの間の間隙を通過できずに、スクレープ部材１０の内側平面部１０ｄ側に移動する（潤滑剤３０のハの部分）。該間隙を通過した潤滑剤３０（ロの部分）は付着厚さが薄く、滴下や飛散が発生しない。距離Ｇとしては、潤滑材３０の粘度等の点から、例えば１×１０−３ｍ以下が適切な実用範囲である。
【００１２】
上記本発明の第１の実施例の光ディスク装置によれば、コンパクトな構成下で、リードスクリュー部材７からの潤滑剤３０の滴下や飛散を阻止することができ、その結果、光ディスク２の記録面や装置内の汚染を防止することができて装置の信頼性を向上させることができる。
【００１３】
図４は、本発明の第２の実施例としての光ディスク装置における光ピックアップ送り機構部の拡大図である。本第２の実施例は、リードスクリュー部材７上の潤滑剤３０をすくい取るスクレープ部材１０の突出部を、該リードスクリュー部材７の両端側部分に対応する２箇所に形成した場合である。
【００１４】
図４において、１０ｃ１、１０ｃ２はそれぞれ、スクレープ部材１０の突出部である。他の部分の構成は上記図２の場合と同様であり、それぞれに該図２の場合と同じ符号を付す。光ピックアップ送り機構部も、該スクレープ部材１０を含め、上記第１の実施例と同様に構成される。突出部１０ｃ１、１０ｃ２はそれぞれ、上記図２における突出部１０ｃと同様、リードスクリュー部材７の表面から所定距離を隔てて形成され、該突出部１０ｃ１、１０ｃ２が形成された位置ではスクレープ部材１０はＬ字状断面を有する。一般に、例えばかかる構成の光ピックアップ送り機構部においては、リードスクリュー部材７の表面のグリース等の潤滑剤は、ラック部材９の移動動作などに起因して該リードスクリュー部材７の両端側部分の２箇所に集まり易く、該両端側部分での該リードスクリュー部材７への付着量が増大して滴下や飛散を起し易い。本図４の構成は、これに有効的に対応しようとするものである。図４の構成において、リードスクリュー部材７が所定の方向に回転すると、スクレープ部材１０の突出部１０ｃ１、１０ｃ２はそれぞれ、上記図３におけるスクレープ部材１０の突出部１０ｃと同様の作用により、リードスクリュー部材７の両端側部分から潤滑剤の一部を除去し、ラック部材９の滑らかな潤滑に必要な量であってかつ滴下や飛散を起さない量がリードスクリュー部材７表面に残るようにする。
【００１５】
上記本発明の第２の実施例によっても、コンパクトな構成下で、リードスクリュー部材７からの潤滑剤の滴下や飛散を阻止することができ、その結果、光ディスク２の記録面や装置内の汚染を防止することができ、装置の信頼性を向上させることができる。特に、本第２の実施例では、スクレープ部材１０を一層簡易かつ軽量な構成にすることができる。また、リードスクリュー部材７の全域にスクレープ部材１０がないため、潤滑剤３０を塗布するときの作業性を低下させないようにすることができる。
【００１６】
なお、上記第２の実施例では、スクレープ部材１０の突出部は、リードスクリュー部材７の両端側部分に対応する２箇所に形成されるとしたが、該両端側部分に対応した位置を含む複数箇所に形成されてもよい。また、上記第１、第２の実施例では、スクレープ部材１０の突出部は、該スクレープ部材１０のＬ字状断面のＬ字の一方の辺側に形成されるとしたが、本発明はこれに限定されず、例えば、図５に示すように、スクレープ部材１０がＴ字状断面を有し、突出部１０ｃが該Ｔ字の１つの辺側に形成され、リードスクリュー部材７とスクレープ部材１０の突出部１０ｃとの間の間隙を通過できない潤滑剤３０が、スクレープ部材１０の内側平面部１０ｄ１側または１０ｄ２側に移動されるようにした構成であってもよい（潤滑剤３０は、リードスクリュー部材７が矢印Ｅ１の方向に回転する場合は内側平面部１０ｄ１側に移動し、リードスクリュー部材７が矢印Ｅ２の方向に回転する場合は、内側平面部１０ｄ２側に移動する）。この場合、突出部は、リードスクリュー部材７のほぼ全長に対応して形成されていてもよいし、または、リードスクリュー部材７の両端側部分に対応した位置を含む複数箇所に形成されてもよい。
【００１７】
また、上記第１、第２の実施例では、スクレープ部材１０は、支持部材１０ａ、１０ｂと一体状とされる構成としたが、該一体状構成は、スクレープ部材１０中に、突出部１０ｃもしくは突出部１０ｃ１、１０ｃ２と支持部材１０ａ、１０ｂの部分が形成されているとしてもよいし、逆に、支持部材１０ａ、１０ｂを含めた支持手段中に、突出部１０ｃもしくは突出部１０ｃ１、１０ｃ２を有したスクレープ部材１０の部分が形成されているとしてもよい。さらには、スクレープ部材１０は、支持部材１０ａ、１０ｂまたは該支持部材１０ａ、１０ｂを含む支持手段とは一体状とされず、別個の独立部材の構成であってもよい。また、さらには、シャーシ１２等の他部材との一体構造としてもよい。
【図面の簡単な説明】
【００１８】
【図１】本発明の第１の実施例としての光ディスク装置の構成例図である。
【図２】図１の光ディスク装置における光ピックアップ送り機構部の拡大図である。
【図３】本発明におけるスクレープ部材の作用を示す図である。
【図４】本発明の第２の実施例としての光ディスク装置における光ピックアップ送り機構部の拡大図である。
【図５】スクレープ部材の他の構成例を示す図である。
【符号の説明】
【００１９】
１…光ディスク装置、
２…光ディスク、
３…スピンドルモータ、
４…光ピックアップ、
５…主ガイド部材、
６…副ガイド部材、
７…リードスクリュー部材、
８…送りモータ、
９…ラック部材、
１０…スクレープ部材、
１０ａ、１０ｂ…支持部材、
１０ｃ、１０ｃ１、１０ｃ２…突出部、
１１…スピンドルモータベース、
１２…シャーシ、
１３、１４、１５…フレキシブル配線基板。
【図１】
2006209826.tif 000003
【図２】
2006209826.tif 000004
【図３】
2006209826.tif 000005
【図４】
2006209826.tif 000006
【図５】
2006209826.tif 000007